(57)【要約】【課題】ＭＩＭＯ無線端末の消費電力を低減する。【解決手段】複数の送信アンテナと複数の受信アンテナを用いて複数の空間パスを介して多入力多出力伝送を行う無線端末の制御方法であって、送信パラメータを示す制御シンボルと、伝搬係数推定シンボルと、データシンボルからなる伝送フレームを受信し、前記制御シンボルを復調して前記送信パラメータを得るステップと、前記伝搬係数推定シンボルを用いて、前記複数の空間パスの伝搬係数を表す伝搬行列Ｈを得るステップと、前記伝搬行列Ｈの逆関数の信頼度を求めるステップと、前記送信パラメータと前記逆関数の信頼度から所定の受信品質が得られるか判定するステップと、前記所定の受信品質が得られないと判断した場合に、前記データシンボルの復調処理を行わないことを特徴とする。【選択図】図１
2006303665.tif 000002
【特許請求の範囲】
【請求項１】
Ｎ本の送信アンテナとＭ本の受信アンテナを用いて複数の空間パスを介して多入力多出力伝送を行う無線端末の制御方法であって、
送信パラメータを示す制御シンボルと、伝搬係数推定シンボルと、データシンボルからなる伝送フレームを受信し、
前記制御シンボルを復調して前記送信パラメータを得るステップと、
前記伝搬係数推定シンボルを用いて、ｊを送信アンテナ番号、ｉを受信アンテナ番号とし、前記複数の空間パスの伝搬係数ｈ（ｊ，ｉ）を要素とする伝搬行列Ｈを得るステップと、
前記伝搬行列Ｈの逆関数の信頼度を求めるステップと、
前記送信パラメータと前記逆関数の信頼度から所定の受信品質が得られるか判定するステップと、
前記所定の受信品質が得られないと判断した場合に、前記データシンボルの復調処理を行わない無線端末制御方法。
【請求項２】
前記逆関数の信頼度は前記伝搬行列Ｈの行列式ｄｅｔ（Ｈ）とする、請求項１記載の無線端末制御方法。
【請求項３】
前記逆関数の信頼度は前記伝搬行列Ｈの固有値とする、請求項１記載の無線端末制御方法。
【請求項４】
前記逆関数の信頼度は前記伝搬行列Ｈとエルミート転置の積の行列式ｄｅｔ（ＨHＨ）とする、請求項１記載の無線端末制御方法。
【請求項５】
前記逆関数の信頼度は前記伝搬行列Ｈとエルミート転置の積のトレースｔｒ（ＨHＨ）とする、請求項１記載の無線端末制御方法。
【請求項６】
前記逆関数の信頼度は前記伝搬行列Ｈとエルミート転置の積ＨHＨの固有値とする、請求項１記載の無線端末制御方法。
【発明の詳細な説明】
【技術分野】
【０００１】
本発明は、無線ＬＡＮシステムの無線端末制御方法に関し、特に複数の送信アンテナと複数の受信アンテナを用いてＭＩＭＯ（Multi Input Multi Output）チャネルを構成し、送受信間で空間分割により複数のパスを介して多重通信を行う無線端末の制御方法に関するものである。
【背景技術】
【０００２】
近年、ＩＥＥＥ８０２．１１規格に準拠した無線ＬＡＮの普及が進み、オフィスや家庭内で一般的に利用されている。ＩＥＥＥ８０２．１１規格では２．４ＧＨｚ帯や５ＧＨｚ帯を用いて最大伝送速度５４Ｍｂｐｓの高速通信が可能である。また無線ＬＡＮの長所はケーブル接続が不要であることから、バッテリー駆動によるノート型パソコンや、小型携帯端末などを移動して使用することができる。
【０００３】
このように無線ＬＡＮでは移動性が重視され、バッテリー駆動による無線端末が主に接続される。よって長時間使用できる無線端末を提供するには、容量の大きなバッテリーと消費電力の少ない無線端末が求められる。
【０００４】
一方でさらなる伝送速度の高速化も求められており、複数の送信アンテナと複数の受信アンテナを用いてＭＩＭＯチャネルを構成し、送受信間で空間分割により複数のパスを介して多重伝送を行う手法が提案されている。受信側では各受信アンテナの信号から複数のパスの伝搬係数の逆関数を推定し、等化することで各送信アンテナからの送信信号を分離して復元することで、送信アンテナの数だけチャネルを増加させることができ、数百Ｍｂｐｓの伝送速度を達成することができる。
【０００５】
また送信側でＭＩＭＯチャネル情報がわかっていれば、チャネルの状態に合わせて送信電力や、送信レート、送信ビームを制御して受信品質を向上するように伝送を最適化することが可能である。
【０００６】
このような高速通信を行うには伝搬逆行列推定や多重信号分離演算、高速な誤り訂正処理など複雑な信号処理が必要であり、信号処理の複雑さに比例して消費電力も大きくなってしまう。
【０００７】
無線ＬＡＮにおいて無線端末の消費電力を低減する従来技術として特許文献１が開示されている。本従来技術では、ヘッダ部とデータ部からなるペイロードを無線パケットにして送信し、受信側では無線パケットのペイロード部を復調し、ペイロード部に含まれるヘッダ部が復調できた時点でヘッダ部の情報から自局宛てのパケットかどうかを判定し、自局宛てでない場合はペイロード部のデータ部分の受信処理を停止することにより消費電力を低減している。
【０００８】
無線ＬＡＮではスペクトラム拡散方式やＯＦＤＭ（直交周波数分割多重）方式が用いられており、ペイロードの一部であるヘッダ部を復調するだけでも複雑な信号処理が必要となる。
【特許文献１】特許第２７１３１９７号公報
【発明の開示】
【発明が解決しようとする課題】
【０００９】
さらにＭＩＭＯ伝送を用いて高速化を図った場合、ペイロード部を復調するには伝搬逆行列推定や多重信号分離演算、伝送速度に応じた高速な誤り訂正処理が必要となり、演算量の増大、クロック周波数の高速化により消費電力が増大する。
【００１０】
また送信側でＭＩＭＯチャネルの状態に合わせて送信電力や送信レート、送信ビームを制御して、ある受信端末に対する伝送を最適化した場合、その伝送に関係のない他の無線端末へのＭＩＭＯチャネルは最適化されていないため信号強度が十分ありＳＮＲがよくても、信号が分離できずに復調誤りを起こす可能性が高い。
【課題を解決するための手段】
【００１１】
本発明は、上記の課題を解決するためになされたもので、Ｎ本の送信アンテナとＭ本の受信アンテナを用いて複数の空間パスを介して多入力多出力伝送を行う無線端末の制御方法であって、送信パラメータを示す制御シンボルと、伝搬係数推定シンボルと、データシンボルからなる伝送フレームを受信し、前記制御シンボルを復調して前記送信パラメータを得るステップと、前記伝搬係数推定シンボルを用いて、ｊを送信アンテナ番号、ｉを受信アンテナ番号とし、前記複数の空間パスの伝搬係数ｈ（ｊ，ｉ）を要素とする伝搬行列Ｈを得るステップと、前記伝搬行列Ｈの逆関数の信頼度を求めるステップと、前記送信パラメータと前記逆関数の信頼度から所定の受信品質が得られるか判定するステップと、前記所定の受信品質が得られないと判断した場合に、前記データシンボルの復調処理を行わないことを特徴とする。
【００１２】
また好ましくは、前記逆関数の信頼度は前記伝搬行列Ｈの行列式ｄｅｔ（Ｈ）とする。
【００１３】
また好ましくは、前記逆関数の信頼度は前記伝搬行列Ｈの固有値とする。
【００１４】
また好ましくは、前記逆関数の信頼度は前記伝搬行列Ｈとエルミート転置の積の行列式ｄｅｔ（ＨHＨ）とする。
【００１５】
また好ましくは、前記逆関数の信頼度は前記伝搬行列Ｈとエルミート転置の積のトレースｔｒ（ＨHＨ）とする。
【００１６】
また好ましくは、前記逆関数の信頼度は前記伝搬行列Ｈとエルミート転置の積ＨHＨの固有値とする。
【発明の効果】
【００１７】
本発明によれば、高いＳＮＲや低い空間相関などより条件の良い伝搬環境が要求されるＭＩＭＯ伝送による高速通信時に特に消費電力が高くなる、伝搬逆行列推定、多重信号分離演算、誤り訂正処理などの動作をとめることで、通信に関係ない受信誤りを発生する可能性が高い端末の消費電力を削減する。また送信側でＭＩＭＯチャネルの状態に合わせて送信電力や送信レート、送信ビームを制御して、ある受信端末に対する伝送を最適化した場合、その伝送に関係のない他の無線端末の消費電力を削減することができる。
【００１８】
このように無駄な受信動作を省くことによってそのネットワークを構成するシステム全体での消費電力が削減できる。バッテリー駆動の無線端末がより長時間ネットワークを構成することが可能になる。
【発明を実施するための最良の形態】
【００１９】
以下本発明の実施の形態について、図面を参照しながら説明する。
【００２０】
（実施の形態１）
図２にＭＩＭＯ無線端末による無線ＬＡＮシステムの一例を示す。ここでは送信局２０１が受信局２０２に対してＭＩＭＯ伝送を行う例を示しており、２０３はこの伝送には関係のない第３の局とする。
【００２１】
送信局２０１は、送信データを変調して複数の伝送フレームを構成し複数のアンテナから同時に送信する。このＭＩＭＯ多重された信号を２０６とする。受信局２０２はＭＩＭＯ多重信号２０６を受信し、多重された信号を分離して復調し受信データを得る。この時、ＭＩＭＯ多重された信号は第３の局２０３も受信し、同様にして復調処理を行うが、自局宛てのデータではないため受信データは破棄される。
【００２２】
送信局２０１は、ＭＩＭＯチャネル情報がわかっていれば、チャネル状態に応じて送信電力や送信レート、送信ビームなどを制御することもできる。例えば送信局２０１は受信局２０２との間のＭＩＭＯチャネル情報を得るために、受信局２０２に対して第１の制御フレーム２０４を送信する。受信局２０２は第１の制御フレーム２０４を受信すると、送信局２０１にＭＩＭＯチャネル情報を通知するための第２の制御フレーム２０５を送信する。送信局２０１は第２の制御フレーム２０５を受信することで送受局間のＭＩＭＯチャネル情報を得ることができる。
【００２３】
ＭＩＭＯチャネル情報は、例えば第１の制御フレーム２０４に伝搬係数推定シンボルを付加し、受信局がこの伝搬係数推定シンボルを用いて伝搬係数を推定し、この結果を第２の制御フレーム２０５で送信するようにしてもよい。あるいは送信局２０１から受信局２０２への空間パスと受信局２０２から送信局２０１への空間パスは同じであるとみなして、受信局が第２の制御フレーム２０５に伝搬係数推定シンボルを付加して送信し、送信局２０１がこの伝搬係数推定シンボルを用いて伝搬係数を推定してもよい。
【００２４】
図３にＭＩＭＯ伝送に用いる伝送フレームの一例を示す。図３において１０４は制御シンボル部ＣＳ、１０５はトレーニングシンボル部ＴＳ、１０６はデータシンボル部である。
【００２５】
制御シンボル部ＣＳ１０４はフレーム検出や周波数同期、ＡＧＣなどに用いるプリアンブル部ＰＲＥと制御情報が載せられているヘッダシンボル部ＨＳからなる。制御情報には、ＭＩＭＯ多重するデータシンボル部についての送信パラメータである送信アンテナ数やトレーニングパターン数、データシンボル部の変調方式、符号化方式、データ長などの情報が含まれる。制御シンボル部ＣＳ１０４は１つのアンテナＴＸ１からだけ送信してもよいし、送信ダイバーシチの様に複数のアンテナＴＸ１〜ＴＸ４から送信してもよい。
【００２６】
トレーニングシンボル部ＴＳ１０５は伝搬係数を推定するための既知のトレーニングパターンＴＰからなる。トレーニングパターンＴＰは受信側で各送信アンテナ毎に伝搬係数が推定できるよう送信アンテナ間で時間的あるいは周波数的あるいは符号的またはこれらの組み合わせにおいて直交するようなパターンを用いればよい。図３の例ではトレーニングパターンの送信タイミングをアンテナ毎にずらすことによって時間的に直交させている。
【００２７】
データシンボル部１０６は、送信アンテナ毎に異なるデータ系列が変調されている。例えば４つの異なるデータ系列をそれぞれ符号化・変調してもよい。あるいは１つのデータ系列を直並列変換して４つのデータ系列に分割し、それぞれを符号化・変調してもよい。これら複数のデータシンボル列はそれぞれのアンテナから同じ搬送波周波数で同時に送信され、空間上で多重される。
【００２８】
ｉ番目の送信アンテナから送信されるデータシンボルをｘｉとしＮ本の送信アンテナから同時に送信される信号をＸ＝［ｘ1、ｘ2、…ｘi、…ｘN］Tとする。ここでTは転置を表す。
【００２９】
ｉ番目の送信アンテナとｊ番目の受信アンテナの間の伝搬係数をｈj,iとする。Ｎ本の送信アンテナとＭ本の受信アンテナの間の伝搬行列Ｈはｈj,iを要素とするＭ行Ｎ列の行列となる。
【００３０】
ｊ番目の受信アンテナで受信される信号をｙjとし、Ｍ本の受信アンテナで受信される信号をＹ＝［ｙ1、ｙ2、…ｙj、…ｙM］Tとすると
Ｙ＝ＨＸ
と表すことができる。ＺＦ（Zero Forcing）アルゴリズムでは受信側でＨを求めＨの逆関数となるウエイト行列Ｗとして逆行列Ｈ-1が求められると、これを受信信号Ｙに乗算することで
ＷＹ＝Ｈ-1Ｙ＝Ｈ-1ＨＸ＝Ｘ
となり、多重された信号から送信信号を分離することができる。ＮとＭが異なりＨが正方行列でない場合はウエイト行列Ｗとして一般逆行列（ＨHＨ）-1ＨHが用いられる。ここでＨは行列のエルミート転置を表す。この場合も同様に受信信号Ｙに乗算することで
ＷＹ＝（ＨHＨ）-1ＨHＹ＝（ＨHＨ）-1ＨHＨＸ＝Ｘ
となる。ＭＭＳＥ（Minimum Mean Square Error）アルゴリズムにおいてはウエイト行列Ｗは
Ｗ＝（Ｈ*ＨT＋ｚＩ）-1Ｈ*
を用いる。ここで*は複素共役、ｚは雑音電力、Ｉは単位行列を表す。
【００３１】
このように伝搬行列Ｈの逆行列が求められれば送信信号を完全に分離し復調することができる。
【００３２】
さらに送信側でＭＩＭＯチャネル情報、つまり伝搬行列Ｈが既知であれば、適切な重み係数を送信信号に乗算して送信することで伝搬路を強制的に直交化してＭＩＭＯチャネルの信号分離を効率的に行うことができる。このような伝送方法として固有モード伝送や特異値分解（Singular Value Decomposition）を用いるＳＶＤ−ＭＩＭＯなどが提案されている。固有モード伝送を例に簡単に説明する。
【００３３】
送信側では伝搬行列Ｈを取得し、行列ＨHＨを対角化するユニタリー行列Ｕを求める。
【００３４】
Λ＝ＵHＨＨＨＵ
となり、ここでΛは行列ＨHＨの固有値が対角成分で残りの成分がすべて０である対角行列である。送信信号Ｘにこのユニタリー行列Ｕを乗算して送信し、伝搬路を介して受信した信号Ｙは
Ｙ＝Ｈ（ＵＸ）
となる。受信側でも行列ＨHＨを対角化するユニタリー行列を求めＵHＨＨを受信信号に乗算する。
【００３５】
ＵHＨＨＹ＝ＵHＨＨ（ＨＵＸ）＝ΛＸ
Λは対角行列であるため、チャネル間の干渉はゼロで完全に信号が分離され、各送信信号のＳＮＲ特性は行列ＨHＨの固有値に比例する。
【００３６】
図１にＭＩＭＯ無線端末による無線ＬＡＮシステムの動作タイミングの一例を示す。図１において１０１は送信局からの第１の制御フレームの制御シンボルであり、受信局からの第２の制御フレームは制御シンボル１０２とトレーニングシンボル１０３からなる。１０４は送信局からの伝送フレームで制御シンボル１０４、トレーニングシンボル１０５、データシンボル１０６からなる。なお図１においてトレーニングシンボルおよびデータシンボルが４つ重なっているのは４本のアンテナから異なる信号を同時に送信することを模式的に表している。ここでは送信局が受信局に対する伝送を最適化して行う場合について説明する。
【００３７】
送信局はまず第１の制御フレームを受信局に送信し、伝送を最適化することを通知し、最適化に必要な情報を受信局に報告させる。最適化に必要な情報としては、伝搬路の情報や受信レベル、受信局が復調できるＭＩＭＯ多重数、受信アンテナ数、変調方式、符号化方式、伝送速度などがある。
【００３８】
受信局は第１の制御フレームを受信すると、最適化に必要な情報を第２の制御フレームで送信し、送信局に報告する。ここでは例として制御シンボル１０２を用いて受信局が復調できるＭＩＭＯ多重数と伝送速度を表すパラメータを報告する。さらに送信局側で伝搬路情報を取得できるよう受信局が復調できるＭＩＭＯ多重数分のトレーニングパターンからなるトレーニングシンボル１０３を送信する。
【００３９】
送信局は第２の制御フレームを受信すると、制御シンボル１０２から受信局が復調できるＭＩＭＯ多重数と伝送速度を表すパラメータを取得する。通知されたＭＩＭＯ多重数に従い、トレーニングシンボル１０３を受信して、送信局から受信局への伝搬係数ｈ（ｊ，ｉ）を推定し、これを要素とする伝搬行列Ｈを求める。またＭＩＭＯ多重数と伝送速度を表すパラメータからデータシンボルの変調方式、符号化方式を決定し、伝送モードを表すパラメータを生成する。
【００４０】
決定した伝送モードに基づいて送信局は伝送フレームを受信局に送信する。制御シンボル１０４で伝送モードを表すパラメータを通知する。このパラメータにはＭＩＭＯ多重数、伝搬係数の最適化を送信側で行っているか、データシンボルの変調方式、符号化方式、データ長などが含まれる。ＭＩＭＯ多重数分のトレーニングパターンからなるトレーニングシンボル１０５を送信し、つづけてＭＩＭＯ多重するデータシンボル１０６を送信する。伝送フレームのＭＩＭＯ多重部分には伝搬行列Ｈを最適化するような重み行列Ｕをかけて送信することで、受信局に対する伝送を最適化し受信品質を向上させる。
【００４１】
受信局は、このようにして送信された伝送フレームを受信し復調を行う。制御シンボル１０４を受信して、伝送モードを表すパラメータを取得する。このパラメータに基づき伝送モードを判定し、ＭＩＭＯ多重数分のトレーニングパターンからなるトレーニングシンボル１０５を受信して、送信局から受信局への伝搬係数ｈ（ｊ，ｉ）を推定し、伝搬係数の最適化が行われるのであれば、送信局と同様に最適化する重み係数Ｕを求め、信号分離に用いる重み係数Ｗ＝ＵHＨＨを求める。データシンボル１０６を受信するとＷを用いて信号分離を行い、分離された信号を伝送モードパラメータの変調方式、符号化方式、データ長などに基づいて復調を行う。
【００４２】
図５に伝搬路最適化伝送の模式図を示す。図５において送信局は伝送路最適化係数乗算部５０２で伝搬行列Ｈを最適化する重み行列Ｕを送信信号に乗算して複数のアンテナから送信する。送信局と受信局の間の伝送路は伝搬行列Ｈで表される。受信局では干渉キャンセル部５０３で信号分離に用いる重み係数ＵHＨＨを乗算して信号分離を行う。
【００４３】
ここでこの伝送フレームの宛先ではない第３の局について説明する。第３の局でも受信局と同様、制御シンボル１０４とトレーニングシンボル１０５の受信を行う。送信局と第３の局の間の伝搬係数は、送信局と受信局の伝搬係数ｈ（ｊ，ｉ）とは異なり、これをａ（ｊ、ｋ）とし、これを要素とする伝搬行列をＡとする。ｋは第３の局の受信アンテナ番号を表す。この伝送フレームには伝搬行列Ｈを最適化するような重み行列Ｕがかけられているため、第３の局での受信信号Ｙ’は
Ｙ’＝Ａ（ＵＸ）
となる。重み行列ＵはＡを最適化するものではないため、第３の局に対する伝搬路ではＭＩＭＯ多重ができず、受信側で信号が分離できない恐れがある。信号が正しく分離できない場合復調誤りを生じ、その受信データは破棄することになる。あるいは信号の分離が不十分であっても例えば伝送速度は低いが雑音に強い変調方式と符号化方式が用いられていれば復調誤りを防ぐことができる場合がある。そこで推定した伝搬行列の状態から信号分離ができるかどうかを先に判定し、伝送モードに基づいて誤りが生じる可能性が高いと判断した場合はデータシンボル部の受信処理を停止して消費電力の低減を図る。
【００４４】
図４にＭＩＭＯ無線端末の受信部の機能ブロック図を示す。図４において４０１はアンテナ、４０２は周波数変換部、４０３は制御シンボル復調部、４０４は伝搬路推定部、４０５は重み係数演算部、４０６は干渉キャンセル部、４０７はデータ復調部、４０８は伝搬状態判定部、４０９は制御部である。
【００４５】
アンテナ４０１で受信した複数の信号は周波数変換部４０２で無線周波数帯から後段の信号処理に適した周波数帯に変換される。周波数変換された信号は制御シンボル復調部４０３、伝搬路推定部４０４、干渉キャンセル部４０６にそれぞれ入力される。制御シンボル復調部４０３では制御シンボルＣＳを復調し伝送パラメータを取得する。伝搬路推定部４０４ではトレーニングシンボルＴＳを復調し、伝搬係数ｈ（ｊ，ｉ）を推定し、これを要素とする伝搬行列Ｈを求める。伝搬状態判定部４０８では伝搬行列Ｈの状態を求め、ＭＩＭＯ多重された信号が分離できるかどうかを判定する。伝搬行列Ｈの状態としては例えば行列式ｄｅｔ（Ｈ）を求める。行列式が０であればＨの逆行列は存在しないためＺＦアルゴリズムやＭＭＳＥアルゴリズムでは信号分離ができない。また行列式が非常に小さければ逆行列の信頼度は下がるため分離した信号のＳＮＲが劣化することになる。あるいは伝搬行列Ｈの状態としては例えばＨの固有値やＨとエルミート転置の積の行列式ｄｅｔ（ＨHＨ）、トレースｔｒ（ＨHＨ）、ＨHＨの固有値などを用いても同様の判定をすることができる。さらに各アンテナ毎の受信レベルと組み合わせてもよい。
【００４６】
制御部４０９ではＣＳ復調部４０３で得られた伝送パラメータと、伝搬状態判定部４０８で得られた伝搬行列Ｈの状態から、データシンボル部で所定の誤り率が得られるかどうかを判定する。たとえば変調方式がＢＰＳＫで符号化率１／２の畳み込み符号化がされている場合は伝搬行列Ｈの状態が悪くても誤りなく復調できる可能性が高い。あるいは変調方式が２５６ＱＡＭで符号化率が７／８の畳み込み符号化されている場合は伝搬行列Ｈの状態が非常によく信号を完全に分離できないと誤りなく復調できる可能性は低い。このように伝送パラメータに基づいた閾値を用いて伝搬行列Ｈの状態を判定する。
【００４７】
なおこの閾値はあらかじめ設定しテーブルとして保持しておいてもよい。より好ましくはそれまでに受信した伝送フレームについて伝送モードと伝搬行列Ｈの状態と誤りがあったかどうかに基づいて閾値テーブルを適応的に更新すればよい。一定期間受信処理停止を禁止し、受信した信号を全て復調して閾値テーブルの更新を行えばよい。
【００４８】
制御部４０９においてデータシンボル部で所定の誤り率が得られると判定した場合はデータシンボルの復調を行う。重み係数演算部４０５では伝搬行列ＨからＭＩＭＯ多重されたデータシンボルを分離するための重み行列Ｗを演算する。干渉キャンセル部４０６では受信したデータシンボルを重み行列Ｗを用いて干渉キャンセルを行い、多重信号を分離する。分離された信号はデータ復調部４０７で伝送パラメータに従って復調される。
【００４９】
一方、制御部４０９においてデータシンボル部で所定の誤り率が得られないと判定した場合は当該伝送フレームの受信処理を停止する。データシンボル部の長さは伝送パラメータにより既知であるのでその期間の間、重み係数演算部４０５、干渉キャンセル部４０６、データ復調部４０７の処理を停止する。たとえばこれらの処理をハードウエアロジックで行っている場合はクロック供給を止めるだけでもよい。あるいは汎用プロセッサでプログラムとして処理されている場合はこれらの演算ルーチンを呼び出さないようにし、その間プロセッサのクロック周波数を低減させていてもよい。あるいはこれらの演算部の電源供給を止めるようにしてもよい。さらには周波数変換部などの電源供給も止めるようにしてもよい。
【００５０】
伝送フレームの期間が終了すれば制御部４０９は通常の動作である受信待ち受けの状態に戻る。
【００５１】
なおここでは送信局が受信局に対する伝送を最適化して行う場合について説明したが、最適化をせずに伝送フレームを送信する場合でも各無線端末の受信部は同様にして伝搬路の状態に応じて受信処理を停止できることはいうまでもない。
【００５２】
なお実施の形態１にかかる各構成は、集積回路であるＬＳＩとして実現されてもよい。これらの構成は１チップ化されても良いし、一部又は全てを含むように１チップ化されてもよい。ここでは、ＬＳＩといったが集積度の違いによっては、ＩＣ、システムＬＳＩ、スーパーＬＳＩ、ウルトラＬＳＩと称呼されることもある。また集積回路化の手法は、ＬＳＩに限られるものではなく、専用回路または汎用プロセッサで集積回路化を行ってもよい。また、ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを用いてもよい。あるいはこれらの機能ブロックの演算は例えばＤＳＰやＣＰＵなどを用いて演算することもできる。さらにこれらの処理ステップはプログラムとして記録媒体に記録して実行することで処理することもできる。
【００５３】
さらには、半導体技術の進歩または派生する別技術によりＬＳＩに置き換わる集積回路かの技術が登場すれば、当然、その技術を用いて機能ブロックを集積化してもよい。バイオ技術の適応などが可能性としてあり得る。
【産業上の利用可能性】
【００５４】
本発明にかかる無線端末制御方法は、ＭＩＭＯ伝送に適さない伝搬状況の場合は、当該伝送期間の受信処理を停止することで消費電力を低減できる。特に演算量の多いＭＩＭＯ受信処理部を停止できることで消費電力の大きな削減効果が得られるためＭＩＭＯ伝送方式を用いた無線端末に用いるものとして有用である。
【図面の簡単な説明】
【００５５】
【図１】本発明の実施の形態１における無線端末の動作の一例を示すタイミング図
【図２】無線ＬＡＮシステムの構成図
【図３】伝送フレームの一例を示す図
【図４】ＭＩＭＯ受信部の構成を示す機能ブロック図
【図５】伝搬路最適化伝送の一例を示す図
【符号の説明】
【００５６】
１０１，１０２，１０４    制御シンボル
１０３，１０５    トレーニングシンボル
１０６    データシンボル
２０１    送信局
２０２    受信局
２０３    第３の局
２０４，２０５    制御フレーム
２０６    ＭＩＭＯ多重信号
４０１    アンテナ
４０２    周波数変換部
４０３    制御シンボル復調部
４０４    伝搬路推定部
４０５    重み係数演算部
４０６    干渉キャンセル部
４０７    データ復調部
４０８    伝搬状態判定部
４０９    制御部
５０１    データ変調部
５０２    伝送路最適化係数乗算部
５０３，５０５    干渉キャンセル部
５０４，５０６    データ復調部
【図１】
2006303665.tif 000003
【図２】
2006303665.tif 000004
【図３】
2006303665.tif 000005
【図４】
2006303665.tif 000006
【図５】
2006303665.tif 000007